(57)【要約】    【課題】  就職希望者と企業等との接触機会の拡大を図り、イメージ先行の就職活動による弊害を解消し得る就職情報提供サービスを行うための技術を提供すること。    【解決手段】  ネットワークを介して接続されるユーザ端末に対して就職希望者に対する情報提供を行うために、就職情報提供サーバ(100)は、ユーザ端末から送られる検索条件を受信したときに当該検索条件に基づいてデータベース(20,21,22)を検索して検索条件に合致する企業を抽出し、当該抽出された企業に対応するアピール情報を抽出する。次に就職情報提供サーバ(100)は、複数のアピール情報をユーザ端末の画面上に所定の時間間隔で切り替え表示させるための画像表示用データを画像生成手段(13)により生成し、当該画像表示用データを送信手段(30)によりユーザ端末に向けて送信する。【選択図】    図２
2005128719.tif 000002
【特許請求の範囲】
【請求項１】
ネットワークを介して接続されるユーザ端末に対して就職希望者に向けた情報提供を行う就職情報提供サーバであって、
前記就職希望者による操作指示に応じて前記ユーザ端末から送られる検索条件を受信する受信手段と、
前記就職希望者に対する情報提供元となるべき各企業のそれぞれに関する情報として、少なくとも前記検索条件に合致する企業を抽出するための基本情報と、前記企業のそれぞれが自己の特色として強調したい情報を含むアピール情報とを格納するデータベースと、
前記受信手段によって受信される前記検索条件に基づいて前記データベースを検索して前記検索条件に合致する企業を抽出し、当該抽出された企業に対応する前記アピール情報を抽出する抽出手段と、
前記アピール情報が複数抽出されたときに、当該複数のアピール情報を前記ユーザ端末の画面上に所定の時間間隔で切り替え表示させるための画像表示用データを生成する画像生成手段と、
前記画像生成手段によって生成される前記画像表示用データを前記ユーザ端末に向けて送信する送信手段と、
を備える就職情報提供サーバ。
【請求項２】
前記画像生成手段は、前記検索条件に対応する企業に対応する前記アピール情報の切り替え表示を望む旨の操作指示が前記ユーザ端末から送られて前記受信手段により受信されたときに前記画像表示用データの生成を行う、請求項１に記載の就職情報提供サーバ。
【請求項３】
前記データベースには各企業ごとに前記アピール情報の有無を表すフラグが設定されており、前記抽出手段は、当該フラグに基づいて前記アピール情報の有無を確認して前記アピール情報を有する企業のみを抽出対象とする、請求項１又は２に記載の就職情報提供サーバ。
【請求項４】
ネットワークを介して接続されるユーザ端末に対して就職希望者に向けた情報提供を行う就職情報提供方法であって、
サーバが、前記就職希望者による操作指示に応じて前記ユーザ端末から送られる検索条件を受信する第１ステップと、
前記サーバが、前記就職希望者に対する情報提供元となるべき各企業のそれぞれに関する情報として少なくとも前記検索条件に合致する企業を抽出するための基本情報と前記企業のそれぞれが自己の特色として強調したい情報を含むアピール情報とを格納するデータベースから、前記第１ステップで受信した前記検索条件に合致する企業を抽出し、当該抽出された企業に対応する前記アピール情報を抽出する第２ステップと、
前記サーバが、前記アピール情報が複数あるときに、当該複数のアピール情報を前記ユーザ端末の画面上に所定の時間間隔で切り替え表示させるための画像表示用データを生成する第３ステップと、
前記サーバが、前記第３ステップで生成した前記画像表示用データを前記ユーザ端末に向けて送信する第４ステップと、
を含む就職情報提供方法。
【請求項５】
ネットワークを介して接続されるユーザ端末に対して就職希望者に向けた情報提供を行う装置としてコンピュータを機能させるべく、コンピュータに、
前記就職希望者による操作指示に応じて前記ユーザ端末から送られる検索条件を受信する第１ステップと、
前記就職希望者に対する情報提供元となるべき各企業のそれぞれに関する情報として少なくとも前記検索条件に合致する企業を抽出するための基本情報と前記企業のそれぞれが自己の特色として強調したい情報を含むアピール情報とを格納するデータベースから、前記第１ステップで受信した前記検索条件に合致する企業を抽出し、当該抽出された企業に対応する前記アピール情報を抽出する第２ステップと、
前記アピール情報が複数あるときに、当該複数のアピール情報を前記ユーザ端末の画面上に所定の時間間隔で切り替え表示させるための画像表示用データを生成する第３ステップと、
前記第３ステップで生成した前記画像表示用データを前記ユーザ端末に向けて送信する第４ステップと、
を実行させるためのプログラム。
【請求項６】
ネットワークを介して接続されるユーザ端末に対して就職希望者に対する情報提供を行う就職情報提供サーバであって、
前記就職希望者に対する情報提供元となるべき各企業のそれぞれに関する情報として、少なくとも前記企業のそれぞれが自己の特色として強調したい情報を含むアピール情報を格納するデータベースと、
前記アピール情報をその内容に応じて分類する複数のカテゴリを前記ユーザ端末の画面上に表示させ、当該複数のカテゴリの何れかを画面上で選択可能にするための第１の画像表示用データを生成する第１の画像生成手段と、
前記第１の画像生成手段によって生成される前記第１の画像表示用データを前記ユーザ端末に向けて送信する第１の送信手段と、
前記複数のカテゴリの何れかを選択する前記就職希望者の操作指示に応じて前記ユーザ端末から送られる被選択カテゴリ情報を受信する受信手段と、
前記受信手段によって受信される前記被選択カテゴリ情報に基づいて前記データベースを検索し、前記被選択カテゴリ情報に合致する前記アピール情報を抽出する抽出手段と、
前記アピール情報が複数抽出されたときに、当該複数のアピール情報を前記ユーザ端末の画面上に所定の時間間隔で切り替え表示させるための第２の画像表示用データを生成する第２の画像生成手段と、
前記第２の画像生成手段によって生成される前記第２の画像表示用データを前記ユーザ端末に向けて送信する第２の送信手段と、
を備える就職情報提供サーバ。
【請求項７】
ネットワークを介して接続されるユーザ端末に対して就職希望者に向けた情報提供を行う就職情報提供方法であって、
サーバが、前記就職希望者に対する情報提供元となるべき各企業のそれぞれに関する情報であって当該企業のそれぞれが自己の特色として強調したい情報を含むアピール情報について、当該アピール情報の内容に応じて分類する複数のカテゴリを前記ユーザ端末の画面上に表示させ、当該複数のカテゴリの何れかを画面上で選択可能にするための第１の画像表示用データを生成する第１ステップと、
前記サーバが、前記第１ステップで生成した前記第１の画像表示用データを前記ユーザ端末に向けて送信する第２ステップと、
前記サーバが、前記複数のカテゴリの何れかを選択する前記就職希望者の操作指示に応じて前記ユーザ端末から送られる被選択カテゴリ情報を受信する第３ステップと、
前記サーバが、前記アピール情報を格納するデータベースを検索し、前記第３ステップで受信した前記被選択カテゴリに合致する前記アピール情報を抽出する第４ステップと、
前記サーバが、前記アピール情報が複数抽出されたときに、当該複数のアピール情報を前記ユーザ端末の画面上に所定の時間間隔で切り替え表示させるための第２の画像表示用データを生成する第５ステップと、
前記サーバが、前記第５ステップで生成した前記第２の画像表示用データを前記ユーザ端末に向けて送信する第６ステップと、
を含む就職情報提供方法。
【請求項８】
ネットワークを介して接続されるユーザ端末に対して就職希望者に向けた情報提供を行う装置としてコンピュータを機能させるべく、コンピュータに、
前記就職希望者に対する情報提供元となるべき各企業のそれぞれに関する情報であって当該企業のそれぞれが自己の特色として強調したい情報を含むアピール情報について、当該アピール情報の内容に応じて分類する複数のカテゴリを前記ユーザ端末の画面上に表示させ、当該複数のカテゴリの何れかを画面上で選択可能にするための第１の画像表示用データを生成する第１ステップと、
前記第１ステップで生成した前記第１の画像表示用データを前記ユーザ端末に向けて送信する第２ステップと、
前記複数のカテゴリの何れかを選択する前記就職希望者の操作指示に応じて前記ユーザ端末から送られる被選択カテゴリ情報を受信する第３ステップと、
前記アピール情報を格納するデータベースを検索し、前記第３ステップで受信した前記被選択カテゴリに合致する前記アピール情報を抽出する第４ステップと、
前記アピール情報が複数抽出されたときに、当該複数のアピール情報を前記ユーザ端末の画面上に所定の時間間隔で切り替え表示させるための第２の画像表示用データを生成する第５ステップと、
前記第５ステップで生成した前記第２の画像表示用データを前記ユーザ端末に向けて送信する第６ステップと、
を実行させるためのプログラム。
【発明の詳細な説明】
【技術分野】
【０００１】
本発明は、インターネット等の通信回線を介して、就職希望者とこのような就職希望者に対する企業関連情報を提供して人材確保を図る企業等とが情報の授受を行うための技術に関する。
【背景技術】
【０００２】
インターネットを利用した情報提供サービスが普及し、各種情報の発信に広く用いられている。例えば、就職を希望する利用者（卒業予定の学生や転職希望者等）がパーソナルコンピュータ等を用いてインターネットに接続し、インターネット上に開設されるウェブサイト上で自己の希望する条件に合致する就職先の企業等を検索し、企業関連情報を得るシステムが知られている。このようなシステムに関する従来技術は、例えば特開２０００−２９７６６号公報（特許文献１）などの文献に記載されている。また、当該システムに類似する技術として、例えば特開２０００−１９４７１１号公報（特許文献２）には、ＬＡＮ（Local Area Network）を介して企業からの求人票や説明会の案内資料用紙を就職活動に必要な条件で検索し、併せて企業情報等の提供を行う技術が記載されている。
【特許文献１】特開２０００−２９７６６号公報
【特許文献２】特開２０００−１９４７１１号公報
【発明の開示】
【発明が解決しようとする課題】
【０００３】
上述したような従来の就職情報提供サービスでは、一般に利用者が自己の希望する条件（例えば、業界、職種、待遇等）を指定し、当該条件に合致する企業等に関する情報が提示される。しかし、利用者の指定条件に合致するとしてピックアップされる企業等は多数になりがちである。この場合に利用者は、ピックアップされた企業等の中から興味のあるものについて更に詳細な情報を取得しようとするが、このような情報取得に要する操作（例えばマウスのクリック等）は非常に煩雑なものとなる。このような詳細な情報は、例えば画面上に表示されたハイパーリング文字や所定の移動ボタンをクリックすることにより、これらも文字やボタンにリンクされた新たなページに表示が切り替わる、という操作を繰り返すことにより、参照することができる。このような表示の切り替え操作は、マウスを用いたクリックという簡単な操作であっても、表示切り替えのための待ち時間等を考慮すると非常に煩雑なものとなる。利用者は、多くの企業について詳細な情報を参照したい場合、この煩雑な状況に各企業情報毎に遭遇することになる。例えば参照可能な企業情報が１００社分用意されていても、その半分の５０社について表示の切り替え操作を継続すると、利用者は操作に飽きてしまい、残りの５０社については詳細な情報を閲覧することを諦めてしまう可能性がある。このため、利用者は自己のもつイメージ（例えばコマーシャルや有名商品等によるもの）に影響を受けて、ピックアップされた企業の中から元々知っている有名企業等に偏って情報取得を行いがちとなる。また、上述したような煩雑な操作を嫌い、始めから自己のもつイメージ等を優先させて企業等の検索条件を設定し、情報取得を行う利用者も多い。
【０００４】
このように就職希望者はイメージ先行の就職活動を行いがちであるため、本当に自分に合った企業等と巡り会うチャンスを逃しているのが現状である。また、このような状況は企業等の側から見ても好ましいものではない。特に、イメージ先行による就職活動の弊害により選択対象外となりがちな企業等は、就職希望者との接触の機会が少なくなる。
【０００５】
そこで、本発明は、就職希望者と企業等との接触機会の拡大を図り、イメージ先行の就職活動による弊害を解消し得る就職情報提供サービスを行うための技術を提供することを目的とする。
【課題を解決するための手段】
【０００６】
第１の態様の本発明は、ネットワークを介して接続されるユーザ端末に対して就職希望者に向けた情報提供を行う就職情報提供サーバであって、就職希望者による操作指示に応じて上記ユーザ端末から送られる検索条件を受信する受信手段と、上記就職希望者に対する情報提供元となるべき各企業のそれぞれに関する情報として、少なくとも上記検索条件に合致する企業を抽出するための基本情報と、上記企業のそれぞれが自己の特色として強調したい情報を含むアピール情報とを格納するデータベースと、上記受信手段によって受信される上記検索条件に基づいて上記データベースを検索して上記検索条件に合致する企業を抽出し、当該抽出された企業に対応する上記アピール情報を抽出する抽出手段と、上記アピール情報が複数抽出されたときに、当該複数のアピール情報を上記ユーザ端末の画面上に所定の時間間隔で切り替え表示させるための画像表示用データを生成する画像生成手段と、上記画像生成手段によって生成される上記画像表示用データを上記ユーザ端末に向けて送信する送信手段と、を備える。
【０００７】
ここで、本明細書における「企業等」とは、生産、販売、サービス等の経済活動（事業）を継続して行なう組織体としての企業やそれに類する団体等を含む。また「基本情報」とは各企業等に関わる基本的な情報をいい、例えば募集職種、採用条件、事業内容、従業員数、事業所の所在地その他の各種情報を含む。また「アピール情報」とは、各企業が自己の特色として特に強調して就職希望者に伝えたいとする情報をいい、例えば各企業がそれぞれに自己の雰囲気を伝えるべく用意した写真等の画像や、自己の事業についての魅力を説明する文章などを含む。
【０００８】
複数のアピール情報がユーザ端末の画面上に所定の時間間隔で切り替え表示、すなわちダイジェスト的に表示されるので、就職希望者は何らの煩雑な操作を行うことなく、多数の企業等についての特色を閲覧することが可能となる。このため、就職希望者は、イメージ先行で企業等の選択を行っていたのでは閲覧する機会を失っていたであろう企業等に関する情報を取得することができる。これにより、就職希望者が元々それほど興味の無かった企業等についてもその特色に触れることにより新たに興味を抱く場合もあり、偶然の巡り会いを演出することが可能となる。したがって、就職希望者と企業等との接触機会の拡大を図り、イメージ先行の就職活動による弊害を解消し得る就職情報提供サービスを提供することが可能となる。
【０００９】
上述した画像生成手段は、上記検索条件に対応する企業に対応する上記アピール情報の切り替え表示を望む旨の操作指示が上記ユーザ端末から送られて上記受信手段により受信されたときに上記画像表示用データの生成を行うことが望ましい。
【００１０】
これにより、就業希望者がアピール情報の切り替え表示を望んだときにのみ当該切り替え表示がユーザ端末の画面上に表示されるので、サービスの利便性が向上する。
【００１１】
上述したデータベースにおいては、各企業ごとに上記アピール情報の有無を表すフラグを設定しておくと更に好適である。この場合に上記抽出手段は、当該フラグに基づいてアピール情報の有無を確認してアピール情報を有する企業のみを抽出対象とするとよい。
【００１２】
上述した第１の態様の本発明の内容は、方法又はプログラムの発明としても把握し得る。
【００１３】
第２の態様の本発明は、ネットワークを介して接続されるユーザ端末に対して就職希望者に向けた情報提供を行う就職情報提供方法であって、サーバが、上記就職希望者による操作指示に応じて上記ユーザ端末から送られる検索条件を受信する第１ステップと、上記サーバが、上記就職希望者に対する情報提供元となるべき各企業のそれぞれに関する情報として少なくとも上記検索条件に合致する企業を抽出するための基本情報と上記企業のそれぞれが自己の特色として強調したい情報を含むアピール情報とを格納するデータベースから、上記第１ステップで受信した上記検索条件に合致する企業を抽出し、当該抽出された企業に対応する上記アピール情報を抽出する第２ステップと、上記サーバが、上記アピール情報が複数あるときに、当該複数のアピール情報を上記ユーザ端末の画面上に所定の時間間隔で切り替え表示させるための画像表示用データを生成する第３ステップと、上記サーバが、上記第３ステップで生成した上記画像表示用データを上記ユーザ端末に向けて送信する第４ステップと、を含む。
【００１４】
かかる方法によれば、就職希望者と企業等との接触機会の拡大を図り、イメージ先行の就職活動による弊害を解消し得る就職情報提供サービスを提供することが可能となる。
【００１５】
第３の態様の本発明は、ネットワークを介して接続されるユーザ端末に対して就職希望者に向けた情報提供を行う装置（就職情報提供サーバ）としてコンピュータを機能させるべく、コンピュータに、上記就職希望者による操作指示に応じて上記ユーザ端末から送られる検索条件を受信する第１ステップと、上記就職希望者に対する情報提供元となるべき各企業のそれぞれに関する情報として少なくとも上記検索条件に合致する企業を抽出するための基本情報と上記企業のそれぞれが自己の特色として強調したい情報を含むアピール情報とを格納するデータベースから、上記第１ステップで受信した上記検索条件に合致する企業を抽出し、当該抽出された企業に対応する上記アピール情報を抽出する第２ステップと、上記アピール情報が複数あるときに、当該複数のアピール情報を上記ユーザ端末の画面上に所定の時間間隔で切り替え表示させるための画像表示用データを生成する第３ステップと、上記第３ステップで生成した前記画像表示用データを前記ユーザ端末に向けて送信する第４ステップと、を実行させるためのプログラムである。
【００１６】
かかるプログラムをコンピュータに実行させることにより、就職希望者と企業等との接触機会の拡大を図り、イメージ先行の就職活動による弊害を解消し得る就職情報提供サービスを提供することが可能となる。
【００１７】
第４の態様の本発明は、ネットワークを介して接続されるユーザ端末に対して就職希望者に向けた情報提供を行う就職情報提供サーバであって、上記就職希望者に対する情報提供元となるべき各企業のそれぞれに関する情報として、少なくとも上記企業のそれぞれが自己の特色として強調したい情報を含むアピール情報を格納するデータベースと、上記アピール情報をその内容に応じて分類する複数のカテゴリを上記ユーザ端末の画面上に表示させ、当該複数のカテゴリの何れかを画面上で選択可能にするための第１の画像表示用データを生成する第１の画像生成手段と、上記第１の画像生成手段によって生成される上記第１の画像表示用データを上記ユーザ端末に向けて送信する第１の送信手段と、上記複数のカテゴリの何れかを選択する上記就職希望者の操作指示に応じて上記ユーザ端末から送られる被選択カテゴリ情報を受信する受信手段と、上記受信手段によって受信される上記被選択カテゴリに基づいて上記データベースを検索し、上記被選択カテゴリに合致する上記アピール情報を抽出する抽出手段と、上記アピール情報が複数抽出されたときに、当該複数のアピール情報を上記ユーザ端末の画面上に所定の時間間隔で切り替え表示させるための第２の画像表示用データを生成する第２の画像生成手段と、上記第２の画像生成手段によって生成される上記第２の画像表示用データを上記ユーザ端末に向けて送信する第２の送信手段と、を備える。
【００１８】
就職希望者が自己の希望するカテゴリを選択することにより、当該被選択カテゴリに対応する複数のアピール情報がユーザ端末の画面上に所定の時間間隔で切り替え表示されるので、就職希望者は何らの煩雑な操作を行うことなく、自己が興味をもつカテゴリについてアピールポイントを有する不特定の企業等についてその情報を閲覧することが可能となる。このため、就職希望者は、イメージ先行で企業等の選択を行っていたのでは閲覧する機会を失っていたであろう企業等に関する情報を取得することができる。これにより、就職希望者が元々それほど興味の無かった企業等についてもその特色に触れることにより新たに興味を抱く場合もあり、偶然の巡り会いを演出することが可能となる。したがって、就職希望者と企業等との接触機会の拡大を図り、イメージ先行の就職活動による弊害を解消し得る就職情報提供サービスを提供することが可能となる。
【００１９】
上述した第４の態様の本発明の内容は、方法又はプログラムの発明としても把握し得る。
【００２０】
第５の態様の本発明は、ネットワークを介して接続されるユーザ端末に対して就職希望者に対する情報提供を行う就職情報提供方法であって、サーバが、上記就職希望者に対する情報提供元となるべき各企業のそれぞれに関する情報であって当該企業のそれぞれが自己の特色として強調したい情報を含むアピール情報について、当該アピール情報の内容に応じて分類する複数のカテゴリを上記ユーザ端末の画面上に表示させ、当該複数のカテゴリの何れかを画面上で選択可能にするための第１の画像表示用データを生成する第１ステップと、上記サーバが、上記第１ステップで生成した上記第１の画像表示用データを上記ユーザ端末に向けて送信する第２ステップと、上記サーバが、上記複数のカテゴリの何れかを選択する上記就職希望者の操作指示に応じて上記ユーザ端末から送られる被選択カテゴリ情報を受信する第３ステップと、上記サーバが、上記アピール情報を格納するデータベースを検索し、上記第３ステップで受信した上記被選択カテゴリに合致する上記アピール情報を抽出する第４ステップと、上記サーバが、上記アピール情報が複数抽出されたときに、当該複数のアピール情報を上記ユーザ端末の画面上に所定の時間間隔で切り替え表示させるための第２の画像表示用データを生成する第５ステップと、上記サーバが、上記第５ステップで生成した上記第２の画像表示用データを上記ユーザ端末に向けて送信する第６ステップと、を含む。
【００２１】
かかる方法によれば、就職希望者と企業等との接触機会の拡大を図り、イメージ先行の就職活動による弊害を解消し得る就職情報提供サービスを提供することが可能となる。
【００２２】
第６の態様の本発明は、ネットワークを介して接続されるユーザ端末に対して就職希望者に対する情報提供を行う装置（就職情報提供サーバ）としてコンピュータを機能させるべく、コンピュータに、上記就職希望者に対する情報提供元となるべき各企業のそれぞれに関する情報であって当該企業のそれぞれが自己の特色として強調したい情報を含むアピール情報について、当該アピール情報の内容に応じて分類する複数のカテゴリを上記ユーザ端末の画面上に表示させ、当該複数のカテゴリの何れかを画面上で選択可能にするための第１の画像表示用データを生成する第１ステップと、上記第１ステップで生成した上記第１の画像表示用データを上記ユーザ端末に向けて送信する第２ステップと、上記複数のカテゴリの何れかを選択する上記就職希望者の操作指示に応じて上記ユーザ端末から送られる被選択カテゴリ情報を受信する第３ステップと、上記アピール情報を格納するデータベースを検索し、上記第３ステップで受信した上記被選択カテゴリに合致する上記アピール情報を抽出する第４ステップと、上記アピール情報が複数抽出されたときに、当該複数のアピール情報を上記ユーザ端末の画面上に所定の時間間隔で切り替え表示させるための第２の画像表示用データを生成する第５ステップと、上記第５ステップで生成した上記第２の画像表示用データを上記ユーザ端末に向けて送信する第６ステップと、を実行させるためのプログラムである。
【００２３】
かかるプログラムをコンピュータに実行させることにより、就職希望者と企業等との接触機会の拡大を図り、イメージ先行の就職活動による弊害を解消し得る就職情報提供サービスを提供することが可能となる。
【発明を実施するための最良の形態】
【００２４】
以下、本発明を適用した一実施形態の就職情報提供システムについて、図面を参照しながら説明する。
（第１の実施形態）
図１は、第１の実施形態の就職情報提供システムの全体構成を示す図である。図１に示す就職情報提供システムは、就職情報提供サーバ１００、ユーザ端末２００、２０１、２０２、…、を含んで構成される。就職情報提供サーバ１００と端末装置２００等との相互間は、所定のネットワーク３００を介して相互に接続されている。なお、本実施形態におけるネットワーク３００は、一般電話網、移動体電話網、インターネットなどの各種の通信網を含んで構成されている。
【００２５】
就職情報提供サーバ１００は、企業等に関連する各種の情報を取得したい利用者に対して、多種多様な情報を提供するものである。この就職情報提供サーバ１００は、事業者によって設置されるサーバであり、当該就職情報提供サーバ１００によってウェブ上でサイトが開設される。利用者はユーザ端末２００等を用いて当該サイトにアクセスし、必要に応じて画面上のボタンをクリックする等の操作を行うことによって、企業等に関連する情報を画面上で閲覧する。ここで「利用者」とは、就職情報提供サーバ１００によって開設されるウェブサイトを利用する者であり、新たに就職を希望する学生等や転職希望者などが含まれる。
【００２６】
ユーザ端末２００等のそれぞれは、就職情報提供サーバ１００によって提供される情報を取得するために利用者が使用するものである。この端末装置２００等は、例えばインターネット接続機能を備えたパーソナルコンピュータやＰＤＡ（Personal Digital Assistants）などによって実現される。ユーザ端末２００等に備わったキーボードやマウス等の入力手段を用いて利用者により検索条件の入力操作がなされると、当該操作指示に応じてユーザ端末２００等から検索条件が就職情報提供サーバ１００に向けて送信される。また、就職情報提供サーバ１００から企業関連情報等が送信されると、当該情報の内容がユーザ端末２００等に備わった表示手段により表示される。
【００２７】
図２は、就職情報提供サーバ１００の詳細構成を示す図である。図２に示す就職情報提供サーバ１００は、制御部１０、企業検索用データベース（ＤＢ）２０、アピール情報データベース（ＤＢ）２１、画面構成情報データベース（ＤＢ）２２、通信処理部３０を含んで構成されている。
【００２８】
制御部１０は、企業関連情報を提供するウェブサイトを運営するために就職情報提供サーバ１００の全体動作を制御する。この制御部１０は、表示対象情報抽出部１１、表示項目抽出部１２、画像生成部１３を含む。このような制御部１０は、例えばＣＰＵ、ＲＯＭ、ＲＡＭ等を含んで構成されるコンピュータと、当該コンピュータ上で実行されるプログラムとが協働して実現される。
【００２９】
表示対象情報抽出部１１は、ユーザ端末２００等のいずれかからネットワーク３００を介して送信され、通信処理部３０によって受信される検索条件に基づいて企業検索用ＤＢ２０を検索し、当該検索条件に合致する企業を抽出する。
【００３０】
表示項目抽出部１２は、表示対象情報抽出部１１により抽出された企業に対応するアピール情報をアピール情報ＤＢ２１から抽出する。また表示項目抽出部１２は、各企業に関する基本情報（詳細は後述）を企業検索用ＤＢ２０から抽出する処理や、ユーザ端末２００等の画面上に表示される画像を構成するための各種情報（詳細は後述）を画面構成情報ＤＢ２２から抽出する処理などを行う。
【００３１】
画像生成部１３は、ユーザ端末２００等の画面上に画像表示を行わせるために必要なデータ（画像表示用データ）を生成する。ユーザ端末２００等の画面上に表示される画像としては、利用者が検索条件の入力等を行うための画像、検索条件に合致した企業の一覧や当該企業のそれぞれに関する基本的情報などを含む検索結果画像などがある。また本実施形態の画像生成部１３は、検索条件に合致する企業に関するアピール情報が複数抽出されたときに、これら複数のアピール情報をユーザ端末２００等の画面上に所定の時間間隔で切り替え表示（ダイジェスト表示）させるための画像表示用データを生成する。
【００３２】
企業検索用ＤＢ２０は、利用者による検索対象となるべき各企業に関する基本情報、具体的には各企業の募集職種、採用条件、企業の概要その他の各種情報を格納する。これらの情報は各企業ごとに割り当てられる識別番号（企業ＩＤ）をキーとして格納されている。企業検索用ＤＢ２０に格納される情報の内容は事業者によって適宜メンテナンス（補充、修正等）がなされる。
【００３３】
アピール情報ＤＢ２１は、各企業が自己の特色として強調したい情報（アピール情報）として用意したものを格納している。これらのアピール情報は企業ＩＤをキーとしてデータベース構築がなされている。アピール情報には、各企業がそれぞれに自己の雰囲気を伝えるべく用意した写真等の画像や、自己の事業についての魅力を説明する文章などが含まれている。アピール情報の具体例については後述する。
【００３４】
図３は、アピール情報ＤＢ２１に格納されるデータの内容について概略的に説明する図である。各企業にはそれぞれを識別するための番号（企業ＩＤ）が割り当てられており、当該企業ＩＤをキーとしてデータベースが構築されている。ＤＩＳＰ＿ＦＩＧは、各企業ＩＤに対応するアピール情報が用意されているか否かを表すフラグである。例えば本実施形態では、当該フラグが「０」の場合はアピール情報が用意されていない場合に対応し、フラグが有効「１」の場合はアピール情報が用意されている場合に対応している。図示の例では、企業ＩＤ＝１、２に対応する企業についてはアピール情報が用意されているが、企業ＩＤ＝３の企業についてはアピール情報が用意されておらず、それらを反映してフラグがそれぞれ設定されている。また、アピール情報は、各企業がそれぞれの特徴をアピールするために、各企業の基本的な情報（例えば、業種や従業員数など）とは別に用意した情報である。
【００３５】
ここで、本実施形態では図４に示す１１分類のカテゴリ（概念）に沿ってそれぞれのカテゴリに対応するアピール情報を用意している。具体的には、図４に示すように本実施形態では、カテゴリ情報Ｃ＃１「企業理念」、カテゴリ情報Ｃ＃２「事業・商品の特徴」、カテゴリ情報Ｃ＃３「仕事内容」、カテゴリ情報Ｃ＃４「社風・風土」、カテゴリ情報Ｃ＃５「施設・職場環境」、カテゴリ情報Ｃ＃６「採用方針」、カテゴリ情報Ｃ＃７「戦略・ビジョン」、カテゴリ情報Ｃ＃８「事業優位性」、カテゴリ情報Ｃ＃９「魅力的な人材」、カテゴリ情報Ｃ＃１０「待遇・制度」、カテゴリ情報Ｃ＃１１「技術力・開発力」という１１のカテゴリを用いている。これらのカテゴリ情報は、アピール情報の意図を表わすために使用することができる。例えば、「企業理念」に対応するアピール情報には、カテゴリ情報Ｃ＃１が付加され、「事業・商品の特徴」に対応するアピール情報には、カテゴリ情報Ｃ＃２が付加される。これらのアピール情報は、各企業のそれぞれに対応して１１カテゴリの全てが用意されていることが望ましいが、企業によっては用意されるデータが１１カテゴリよりも少なくてもよい。この１１カテゴリは、ここでは誘引情報分類と称し、求人活動をする企業における就職希望者に対する誘引情報に着目して分類されたもので、この１１カテゴリを用意すると、想定される誘引情報のすべてを網羅することができるという論理に基づいて用意されたものである。
【００３６】
また本実施形態では、図３に示すように、各企業ごとに、アピール情報に優先順位が設けられており、当該順位を反映させた形式で各アピール情報のデータが企業アピール情報ＤＢ２１に格納されている。図示の例では、企業ＩＤ＝１で表される企業については、優先順位が高い順にアピール情報ＡＰ＃１、ＡＰ＃３、ＡＰ＃１０、…が格納されている。これらのアピール情報は、１１カテゴリの何れかに所属するため、対応するカテゴリ情報が付加されている。例えば、アピール情報ＡＰ＃１にはカテゴリ情報Ｃ＃１が、アピール情報ＡＰ＃３にはカテゴリ情報Ｃ＃３が、アピール情報ＡＰ＃１０にはカテゴリ情報Ｃ＃１０が付加される。同様に、企業ＩＤ＝２で表される企業については、優先順位が高い順にアピール情報ＡＰ＃３、ＡＰ＃５、ＡＰ＃１、…が格納されている。これらのアピール情報にも、例えば、アピール情報ＡＰ＃３にはカテゴリ情報Ｃ＃３が、アピール情報ＡＰ＃５にはカテゴリ情報Ｃ＃５が、アピール情報ＡＰ＃１にはカテゴリ情報Ｃ＃１が付加される。これらの付加情報は、例えばアピール情報のヘッダ情報として付加される。
【００３７】
画面構成情報ＤＢ２２は、ネットワーク３００を介してユーザ端末２００等の画面上に表示される画像を構成するための各種情報を格納している。例えば、上述した各企業ごとのアピール情報を表示する画面を構成する際に、どの企業が情報提示対象となった場合にも共通して使用される外枠（アピール情報以外の部分）を構成する画像データやＨＴＭＬファイル等が格納されている。
【００３８】
通信処理部３０は、制御部１０がネットワーク３００を介して端末装置２００等との間でデータ通信を行うために必要な処理を担う。
【００３９】
上述した通信処理部３０が「受信手段」及び「送信手段」に、表示対象情報抽出部１１及び表示項目抽出部１２が「抽出手段」に、画像生成部１３が「画像生成手段」に、企業検索用ＤＢ２０、アピール情報ＤＢ２１及び画像構成情報ＤＢ２３が「データベース」にそれぞれ対応している。
【００４０】
本実施形態の就職情報提供サーバ１００はこのような構成を有しており、次にその動作について説明する。例えば、利用者が端末装置２００を用いて就職情報提供サーバ１００にアクセスし、所望の企業関連情報を取得する際における就職情報提供サーバ１００の動作について説明を行う。
【００４１】
図５は、就職情報提供サーバ１００の動作手順を示すフローチャートである。図５では主にユーザの使用するユーザ端末２００に対してアピール情報をダイジェスト表示によって提供する際の動作に着目してその処理内容が示されている。
【００４２】
ユーザ端末２００がネットワーク３００を介して就職情報提供サーバ１００に接続されると、ユーザ端末２００には利用者が検索条件の入力等を行うための画面表示がなされる。当該画面表示に対応して利用者による入力操作がなされ、情報を取得したい企業の条件を特定した検索条件がユーザ端末２００からネットワーク３００を介して検索条件が送られると、就職情報提供サーバ１００は当該検索条件を受信する（ステップＳ１００）。具体的には、ネットワーク３００を介して送られる検索条件を受信する処理が通信処理部３０によって行われ、受信された検索情報は制御部１０に引き渡される。
【００４３】
次に、就職情報提供サーバ１００は、取得した検索条件に基づいて企業検索用ＤＢ２０を検索し、上記検索条件に合致する基本情報を有する企業を抽出する（ステップＳ１０１）。当該処理は、より具体的には制御部１０内の表示対象情報抽出部１１によって行われる。
【００４４】
次に、就職情報提供サーバ１００は、上述したステップＳ１０１において抽出された各企業の一覧や当該企業のそれぞれに関する基本的情報などを含む検索結果画像を表示するための画像表示用データを生成し（ステップＳ１０２）、当該データをユーザ端末２００に対して送信する（ステップＳ１０３）。より具体的には、当該画像表示用データの生成は画像生成部１３によって行われる。画像表示用データとしては、例えばＨＴＭＬ（Hyper Text Markup Language）形式のデータが用いられる。また画像表示用データの送信は通信処理部３０によって行われる。
【００４５】
図６は、ユーザ端末２００に表示される検索結果画像の具体例を示す図である。図６に示す例では、利用者により指定された検索条件に対応する企業が２５件抽出されており（符号ａ１参照）、これら各企業のうち２社分の基本的情報が画面右下側（符号ａ２参照）に表示されている。各企業の基本的情報についてはユーザ端末２００側で所定操作を行うことにより順次スクロールして閲覧することが可能になっている。図示の例では、基本的情報として、社名、一言メモ（「私たちの願いは・・・」等）、業種、本社所在地、従業員数、会社データ、採用方法、選考基準、アピール情報、先輩の仕事情報、フォトアルバム（仕事風景の写真集）、説明会・イベント情報などが掲載されている。各情報については、更に詳細な情報が存在する場合にはその部分にリンクが張られており、利用者は適宜クリック操作を行うことにより当該詳細情報を閲覧することができる。また、図６に示す検索結果画像では、各企業のアピール情報が存在するか否かが一目で分かりやすくすべく、検索結果画像の各企業ごとの領域には、当該アピール情報の有無が表示されている（符号ａ３参照）。本例では、アピール情報が存在するときにその旨の表示がなされ、それ以外の場合には表示がなされない。この表示非表示は、検索結果として抽出された企業情報に関連するＤＩＳＰ＿ＦＩＧの内容を参照することにより制御できる。この表示を押下することにより、対応する企業のみのアピール情報が表示される。
【００４６】
更に、本実施形態では、検索結果として抽出された各企業に関し、アピール情報を持つ企業に関し、そのアピール情報をひとまとめにしてダイジェスト表示（スライドショー表示）することが可能となっており、当該表示を望むか否かを利用者に選択させるように構成している。具体的には、図６に示す表示例においては符号ａ４で示す位置に、ダイジェスト表示の実行を指示するためのボタンが配置されている。利用者は、アピール情報のダイジェスト表示を要求する場合、ユーザ端末２００に備わった入力手段を用いて当該ボタンを押下する操作指示を行うことが可能である。また、検索条件として誘引情報分類の何れかのカテゴリを指定することにより、指定されたカテゴリのアピール情報を持ち、かつそのアピール情報の優先順位が最も高い企業情報のみが抽出される。この場合、抽出され企業情報のＤＩＳＰ＿ＦＩＧの内容が必ず有効を示す。
【００４７】
次に、就職情報提供サーバ２００は、アピール情報のダイジェスト表示を要求する旨の操作指示がユーザ端末２００から送られたか否かを判定する（ステップＳ１０４）。より具体的には当該判定は表示項目抽出部１２によってなされる。操作指示が送られない場合には否定判断（ＮＯ）がなされ、ステップＳ１０４の判定が繰り返される。なお、ここではダイジェスト表示を望む旨の操作指示とは異なる操作指示がなされる場合については考慮しないものとする。
【００４８】
アピール情報のダイジェスト表示を望む旨の操作指示が与えられると、ステップＳ１０４において肯定判断がなされ、就職情報提供サーバ１００は、表示対象となる各企業に対応するアピール情報等を抽出する（ステップＳ１０５）。より具体的には、ユーザ端末２００からネットワーク３００を介して送られる操作指示が通信処理部３０によって受信され、当該操作指示が制御部１０に引き渡されると、表示項目抽出部１２は、表示対象となる各企業に対応するアピール情報をアピール情報ＤＢ２１から抽出する。このとき、表示項目抽出部１２は、上述した「ＤＩＳＰ＿ＦＩＧ」のフラグを参照して各企業のそれぞれについてのアピール情報の有無を判断し、当該フラグが「０」であり「アピール情報がなし」の企業については抽出対象から除外する。また、表示項目抽出部１２は、アピール情報が存在する企業については、優先順位が最も高く設定されている１つのアピール情報のみを抽出する。例えば、上述した図３に示した例では、企業ＩＤ＝１の企業についてはアピール情報ＡＰ＃１（企業理念）が抽出され、企業ＩＤ＝２の企業についてはアピール情報ＡＰ＃３（仕事内容）が抽出される。また企業ＩＤ＝３の企業についてはＤＩＳＰ＿ＦＩＧが「０」であるためアピール情報の抽出対象外とされる。また、上記処理と併せて、表示項目抽出部１２は、ネットワーク３００を介してユーザ端末２００等の画面上に表示される画像を構成するための情報を画面構成情報ＤＢ２２から抽出する。何れのアピール情報表示するか決定するための優先順位の検出は、図３に示されたようなアピール情報の格納順位イコール表示順位という概念に限らず、例えば、各企業において用意されたアピール情報のそれぞれに優先順位を示す優先順位情報を設けてこの優先順位情報を参照する処理に替えることができる。この優先順位情報は、アピール情報のヘッダ情報として用意することができる。
【００４９】
次に、就職情報提供サーバ１００は、上記ステップＳ１０５において抽出したアピール情報等を用いて、これらのアピール情報の内容をユーザ端末２００の画面上で所定の時間間隔ごとに切り替え表示（ダイジェスト表示）させるための画像表示用データを生成し（ステップＳ１０６）、通信処理部３０を介してユーザ端末２００に送信する（ステップＳ１０７）。具体的には、このようなダイジェスト表示をさせるための画像表示用データは、例えば、Ｆｌａｓｈ（フラッシュ）形式のデータとその再生タグが記載されたＨＴＭＬ形式データとを組み合わせて作成することが可能である。このような画像表示用データがユーザ端末２００に送られ、ユーザ端末２００にインストールされているウェブブラウザによってその内容が再生され、画面上に表示される。
【００５０】
図７及び図８は、ダイジェスト表示される各企業のアピール情報の一例を示す図である。各図に示すような内容のアピール情報が、例えば１０秒程度の時間間隔ごとに切り替えてユーザ端末２００等の画面上に表示される。図示の例のアピール情報では、各企業の雰囲気（イメージ）を伝える写真等の画像（符号ｂ１参照）、アピール・フレーズ（符号ｂ２参照）、数行のアピール文（符号ｂ３参照）などがアピール情報として表示されている。また、画面下側には再生／停止、送り／戻しなど、予め設定された時間間隔とは異なるタイミングでアピール情報を表示させるためのボタン（符号ｂ４参照）も用意されている。利用者は、ユーザ端末２００の入力手段を用いてこれらのボタンを押下することにより、現在表示中のアピール情報を一時停止させてじっくり閲覧したり、以前に表示されたアピール情報に戻って再表示させる等の表示切り替えを手動で行うことも可能である。
【００５１】
このように、本実施形態では、複数のアピール情報がユーザ端末２００等の画面上に所定の時間間隔でダイジェスト的に表示されるので、就職希望者（利用者）は何らの煩雑な操作を行うことなく、多数の企業等についての特色を閲覧することが可能となる。このため、就職希望者は、イメージ先行で企業等の選択を行っていたのでは閲覧する機会を失っていたであろう企業等に関する情報を取得することができる。これにより、就職希望者が元々それほど興味の無かった企業等についてもその特色に触れることにより新たに興味を抱く場合もあり、偶然の巡り会いを演出することが可能となる。したがって、本実施形態の就職情報提供サーバ１００を用いることにより、就職希望者と企業等との接触機会の拡大を図り、イメージ先行の就職活動による弊害を解消し得る就職情報提供サービスを提供することが可能となる。
（第２の実施形態）
次に、本発明の第２の実施形態について説明する。第２の実施形態における就職情報提供システムの全体構成は上述した第１の実施形態の場合と同様であり（図１参照）、就職情報提供サーバの有する機能が異なっている。ここではシステムの全体構成については説明を省略する。
【００５２】
図９は、第２の実施形態の就職情報提供サーバ１００ａの詳細構成を示す図である。図９に示す就職情報提供サーバ１００ａは、制御部１０、企業検索用ＤＢ２０、アピール情報ＤＢ２１、画面構成情報ＤＢ２２、通信処理部３０を含んで構成される。これらの構成要素のそれぞれの基本的機能については上述した第１の実施形態における就職情報提供サーバ１００に含まれるものと同様であり、ここでは説明を省略する。制御部１０に含まれる各構成要素については第１の実施形態の場合と比べて異なる点があるので、以下その内容について説明する。
【００５３】
画像生成部１３ａは、アピール情報をその内容に応じて分類する複数のカテゴリ（概念）をユーザ端末２００等に表示させ、当該複数のカテゴリの何れかをユーザ端末２００等において選択可能にするための画像表示用データ（第１の画像表示用データ）を生成する。このような第１の画像表示用データは、例えばＨＴＭＬ形式のデータによって構成される。
【００５４】
通信処理部３０は、画像生成部１３ａによって生成された第１の画像表示用データをユーザ端末２００等に送信する。また、通信処理部３０は、複数のカテゴリの何れかを選択する操作指示が利用者によりなされ、当該操作指示に応じてユーザ端末２００等から送られる被選択カテゴリ情報を受信する。
【００５５】
表示対象情報抽出部１１ａは、ユーザ端末２００等の何れかからネットワーク３００を介して送信され、通信処理部３０によって受信される被選択カテゴリ情報に基づいて企業検索用ＤＢ２０を検索し、利用者によって選択されたカテゴリに合致するアピール情報を有する企業を抽出する。この抽出処理は、上述したアピール情報の有無を示すフラグ（ＤＩＳＰ＿ＦＩＧ）に基づいて行われる。
【００５６】
表示項目抽出部１２ａは、表示対象情報抽出部１１ａにより抽出された企業に対応し、かつ被選択カテゴリ情報により指定されるカテゴリに合致するアピール情報を抽出する。また表示項目抽出部１２ａは、ユーザ端末２００等の画面上に表示されるべき画像を構成するための情報（詳細は後述）を画面構成情報ＤＢ２２から抽出する処理を行う。
【００５７】
また、上述した画像生成部１３ａは、表示項目抽出部１２ａによって複数のアピール情報が抽出されたときに、これら複数のアピール情報をユーザ端末２００等の画面上に所定の時間間隔で切り替え表示させるための画像表示用データ（第２の画像表示用データ）を生成する。生成された第２の画像表示用データは通信処理部３０によってユーザ端末２００等へ向けて送信される。
【００５８】
上述した通信処理部３０が第１の送信手段、第２の送信手段、受信手段のそれぞれに対応する。また、画像生成部１３ａが第１の画像生成手段、第２の画像生成手段のそれぞれに対応する。
【００５９】
本実施形態の就職情報提供サーバ１００ａはこのような構成を有しており、次にその動作について説明する。例えば、利用者がユーザ端末２００を用いて就職情報提供サーバ１００ａにアクセスし、所望の企業関連情報を取得する際における就職情報提供サーバ１００ａの動作について説明を行う。
【００６０】
図１０は、第２の実施形態の就職情報提供サーバ１００ａの動作手順を示すフローチャートである。図１０では主にユーザの使用する端末装置２００に対してアピール情報をダイジェスト表示によって提供する際の動作に着目してその処理内容が示されている。
【００６１】
ユーザ端末２００がネットワーク３００を介して就職情報提供サーバ１００ａに接続されると、就職情報提供サーバ１００ａは、アピール情報をその内容に応じて分類する複数のカテゴリをユーザ端末２００の画面上に表示させ、当該複数のカテゴリの何れかを選択可能にするための第１の画像表示用データを生成し（ステップＳ２００）、当該データを送信する（ステップＳ２０１）。具体的には、第１の画像表示用データの生成は画像生成部１３ａにより行われ、当該データの送信は通信処理部３０によってなされる。
【００６２】
図１１は、第１の画像表示用データに基づいてユーザ端末２００の画面上に表示されるカテゴリ選択画像の表示例を示す図である。本実施形態においても、上述した１１分類のカテゴリ（概念）に沿ってそれぞれのカテゴリに対応するアピール情報が用意されており（図４参照）、これらのカテゴリが選択可能となるように表示される。具体的には、図１１に示すように本実施形態においても、「企業理念」、「事業・商品の特徴」、「仕事内容」、「社風・風土」、「施設・職場環境」、「採用方針」、「戦略・ビジョン」、「事業優位性」、「魅力的な人材」、「待遇・制度」、「技術力・開発力」という１１のカテゴリを用いている。これら１１のカテゴリ表示はそれぞれボタンを兼ねており、操作指示を行って画面上で当該ボタンｃ１〜ｃ１１の何れかをクリックすることにより、利用者が所望のカテゴリを選択できるようになっている。
【００６３】
上述した１１のカテゴリの何れかを選択する操作指示がなされ、選択されたカテゴリを示す情報（被選択カテゴリ情報）がユーザ端末２００から送られると、就職情報提供サーバ１００ａは当該被選択カテゴリ情報を受信する（ステップＳ２０２）。具体的には、ネットワーク３００を介して送られる検索条件を受信する処理が通信処理部３０によって行われ、受信された検索情報は制御部１０ａに引き渡される。
【００６４】
被選択カテゴリ情報を取得すると、次に就職情報提供サーバ１００ａは、表示対象となるカテゴリに対応するアピール情報等を抽出する（ステップＳ２０３）。より具体的には、ユーザ端末２００からネットワーク３００を介して送られる操作指示が通信処理部３０によって受信され、当該操作指示が制御部１０に引き渡されると、表示項目抽出部１２ａは、表示対象となるカテゴリに対応するアピール情報をアピール情報ＤＢ２１から抽出する。このとき、表示項目抽出部１２ａは、上述した「ＤＩＳＰ＿ＦＩＧ」のフラグを参照して各企業のそれぞれについてのアピール情報の有無を判断し、当該フラグが「０」であり「アピール情報がなし」の企業については抽出対象から除外する。そして、表示項目抽出部１２ａは、アピール情報が存在する企業について、利用者に選択されたカテゴリに対応するアピール情報を抽出する。例えば、選択されたカテゴリが「企業理念」である場合には、カテゴリ情報Ｃ＃１をヘッダ情報として持つアピール情報を有する各企業について、アピール情報が抽出される。なお、抽出対象となるアピール情報が多数に及ぶ場合などにおいては、適当な抽出数を決めておき、ランダムな選択によりアピール情報を抽出してもよい。これにより、表示対象となるアピール情報に偏りが生じるのを回避し得る。また、上記処理と併せて、表示項目抽出部１２ａは、ネットワーク３００を介してユーザ端末２００等の画面上に表示される画像を構成するための情報を画面構成情報ＤＢ２２から抽出する。
【００６５】
次に、就職情報提供サーバ１００ａは、上記ステップＳ２０３において抽出したアピール情報等を用いて、これらのアピール情報の内容をユーザ端末２００の画面上で所定の時間間隔ごとに切り替え表示させるための画像表示用データ（第２の画像表示用データ）を生成し（ステップＳ２０４）、通信処理部３０を介してユーザ端末２００に送信する（ステップＳ２０５）。第２の実施形態では、このような切り替え表示により提供される情報を「企業図鑑」と称している。このような企業図鑑の表示を行うための画像表示用データは、例えば、Ｆｌａｓｈ（フラッシュ）形式のデータとその再生タグが記載されたＨＴＭＬ形式データとを組み合わせて作成することが可能である。このような画像表示用データがユーザ端末２００に送られ、ユーザ端末２００にインストールされているウェブブラウザによってその内容が再生され、画面上に表示される。
【００６６】
図１２〜図１４は、企業図鑑の表示例を示す図である。利用者によって選択されたカテゴリに該当するアピール情報は、図１２及び図１３に示すような形式で、例えば１０秒程度の時間間隔ごとに切り替えてユーザ端末２００等の画面上に表示される。図示の例のアピール情報では、各企業の雰囲気（イメージ）を伝える写真等の画像（符号ｄ１参照）、アピール・フレーズ（符号ｄ２参照）、数行のアピール文（符号ｄ３参照）などがアピール情報として表示されている。また、画面下側には再生／停止、送り／戻しなど、予め設定された時間間隔とは異なるタイミングでアピール情報を表示させるためのボタン（符号ｄ４参照）も用意されている。利用者は、ユーザ端末２００の入力手段を用いてこれらのボタンを押下することにより、現在表示中のアピール情報を一時停止させてじっくり閲覧したり、以前に表示されたアピール情報に戻って再表示させる等の表示切り替えを手動で行うことも可能である。また、この企業図鑑の表示では、表示途中に当該表示の対象となるカテゴリを変更可能とすべく、当該図鑑表示に重ねて上述した１１のカテゴリを表示させる指示を行うためのＩＮＤＥＸボタン（符号ｄ５参照）が用意されている。当該ボタンｄ５が押下された場合には、図１４に示すように画面上の所定位置（図示の例では左側）に１１のカテゴリが重ねて表示される（符号ｄ６参照）。この表示では、各カテゴリを示す文字列の領域がそれぞれボタンとなり、所望のカテゴリを選択可能となっている。ボタンを押下して何れかのカテゴリが選択された場合には、上述したステップＳ２０２以降の処理が再度行われて、選択されたカテゴリに対応するアピール情報を含んだ図鑑が表示される。
【００６７】
このように、本実施形態では、就職希望者が自己の希望するカテゴリを選択することにより、当該被選択カテゴリに対応する複数のアピール情報がユーザ端末２００等の画面上に所定の時間間隔で切り替え表示されるので、就職希望者は何らの煩雑な操作を行うことなく、自己が興味をもつカテゴリについてアピールポイントを有する不特定の企業等についてその情報を閲覧することが可能となる。このため、就職希望者は、イメージ先行で企業等の選択を行っていたのでは閲覧する機会を失っていたであろう企業等に関する情報を取得することができる。これにより、就職希望者が元々それほど興味の無かった企業等についてもその特色に触れることにより新たに興味を抱く場合もあり、偶然の巡り会いを演出することが可能となる。したがって、本実施形態の就職情報提供サーバ１００ａを用いることにより、就職希望者と企業等との接触機会の拡大を図り、イメージ先行の就職活動による弊害を解消し得る就職情報提供サービスを提供することが可能となる。
【００６８】
なお、本発明は上述した実施形態の内容に限定されるものではなく、本発明の要旨の範囲内において種々の変形実施が可能である。例えば、上述した実施形態では、ダイジェスト表示あるいは企業図鑑表示を行う対象となる企業関連情報として各企業の特色等を含むアピール情報を考えていたが、表示対象の情報はこれに限定されるものではなく、企業関連情報として所定の概念で用意された情報であれば如何なるものも表示対象として採用し得る。また、上述した実施形態では１１分類のカテゴリに沿ってアピール情報を用意していたが、当該カテゴリ分類は例示した１１種類に限定されるものではない。
【図面の簡単な説明】
【００６９】
【図１】第１の実施形態の就職情報提供システムの全体構成を示す図である。
【図２】第１の実施形態の就職情報提供サーバの詳細構成を示す図である。
【図３】アピール情報ＤＢに格納されるデータの内容について概略的に説明する図である。
【図４】アピール情報を分類する１１のカテゴリ（概念）を説明する図である。
【図５】第１の実施形態の就職情報提供サーバの動作手順を示すフローチャートである。
【図６】ユーザ端末に表示される検索結果画像の具体例を示す図である。
【図７】ダイジェスト表示される各企業のアピール情報の一例を示す図である。
【図８】ダイジェスト表示される各企業のアピール情報の一例を示す図である。
【図９】第２の実施形態の就職情報提供サーバの詳細構成を示す図である。
【図１０】第２の実施形態の就職情報提供サーバの動作手順を示すフローチャートである。
【図１１】第１の画像表示用データに基づいてユーザ端末の画面上に表示されるカテゴリ選択画像の表示例を示す図である。
【図１２】企業図鑑の表示例を示す図である。
【図１３】企業図鑑の表示例を示す図である。
【図１４】企業図鑑の表示例を示す図である。
【符号の説明】
【００７０】
１０、１０ａ：制御部
１１、１１ａ：表示対象情報抽出部
１２、１２ａ：表示項目抽出部
１３、１３ａ：画像生成部
２０：企業データベース（ＤＢ）２０
２１：アピール情報データベース（ＤＢ）２１
２２：画面構成情報データベース（ＤＢ）２２
３０：通信処理部
１００、１００ａ：就職情報提供サーバ
２００、２０１、２０２：ユーザ端末
３００：ネットワーク
【図１】
2005128719.tif 000003
【図２】
2005128719.tif 000004
【図３】
2005128719.tif 000005
【図４】
2005128719.tif 000006
【図５】
2005128719.tif 000007
【図６】
2005128719.tif 000008
【図７】
2005128719.tif 000009
【図８】
2005128719.tif 000010
【図９】
2005128719.tif 000011
【図１０】
2005128719.tif 000012
【図１１】
2005128719.tif 000013
【図１２】
2005128719.tif 000014
【図１３】
2005128719.tif 000015
【図１４】
2005128719.tif 000016